(57)【要約】【課題】  太陽電池モジュールを、発電効率を損ねることなく、設置箇所に手軽に取付け可能とする。  【課題を解決するための手段】  一又は二以上の太陽電池モジュールに網材を取付け、網材を袋又はシートとし、それら網材の網目を透光孔とした。太陽電池モジュールは太陽光が透過可能なシースルー型太陽電池モジュール等であってもよい。網材はフレキシブルなものでもリジッドなものでもよく、耐候性、絶縁性に優れたものがよい。太陽電池モジュールは袋状の網材内には収容し、シート状の網材にはそれに重ねて取付けた。この場合、太陽電池モジュールの表裏両面を網材で挟むか、表裏面のいずれか片面に網材重ねて取付けることができる。網材は太陽電池モジュールの全面に被せることも、枠状にして太陽電池モジュールの周縁部にだけ被せることもできる。【選択図】図１
2012023308.tif 000002
【特許請求の範囲】
【請求項１】
一又は二以上の太陽電池モジュールが網材を備え、網材を袋又はシートにし、それら網材の網目を透光孔としたことを特徴とする網材付き太陽電池モジュール。
【請求項２】
請求項１記載の網材付き太陽電池モジュールにおいて、網材は袋であり、その網材製袋内に太陽電池モジュールが収容されたことを特徴とする網材付き太陽電池モジュール。
【請求項３】
請求項１記載の網材付き太陽電池モジュールにおいて、網材はシートであり、その網材製シートの表裏両面又はいずれか片面に太陽電池モジュールが連結されたことを特徴とする網材付き太陽電池モジュール。
【請求項４】
請求項１乃至請求項３のいずれかに記載の網材付き太陽電池モジュールにおいて、網材が枠状であり、それが太陽電池モジュールの周縁部に被せて取付けられたことを特徴とする網材付き太陽電池モジュール。
【請求項５】
請求項１乃至請求項４のいずれかに記載の網材付き太陽電池モジュールにおいて、網材の周縁部を太陽電池モジュールの周縁部の外側まで突出させて、その突出部を設置箇所に取付けるための連結部としたことを特徴とする網材付き太陽電池モジュール。
【請求項６】
請求項１乃至請求項５のいずれかに記載の網材付き太陽電池モジュールにおいて、網材が二以上連結されて、太陽電池モジュールが多数連結されたことを特徴とする網材付き太陽電池モジュール。
【請求項７】
請求項１乃至請求項６のいずれかに記載の網材付き太陽電池モジュールにおいて、太陽電池モジュールが、太陽光が透過可能なシースルー型太陽電池モジュールであることを特徴とする網材付き太陽電池モジュール。
【請求項８】
請求項１乃至請求項７のいずれかに記載の網材付き太陽電池モジュールにおいて、網材がフレキシブル又はリジッドであることを特徴とする網材付き太陽電池モジュール。
【請求項９】
請求項１乃至請求項８のいずれかに記載の網材付き太陽電池モジュールにおいて、網材が耐候性、絶縁性を備えたものであることを特徴とする網材付き太陽電池モジュール。
【請求項１０】
太陽電池モジュールを設置箇所に取付けた太陽電池モジュールの取付け構造において、太陽電池モジュールを網材により設置箇所に取付けたことを特徴とする太陽電池モジュールの取付け構造。
【請求項１１】
請求項１０記載の太陽電池モジュールの取付け構造において、太陽電池モジュールとは別体の網材を太陽電池モジュールの表裏両面又はいずれか片面に、その網材を設置箇所に連結することによって太陽電池モジュールを設置箇所に取付けたことを特徴とする太陽電池モジュールの取付け構造。
【請求項１２】
請求項１０記載の太陽電池モジュールの取付け構造において、太陽電池モジュールとは別体の網材を太陽電池モジュールに取付けて、網材の周縁部を太陽電池モジュールの一又は二以上の周縁部の外側まで突出させて連結部とし、その連結部を設置箇所に連結することによって太陽電池モジュールを設置箇所に取付けたことを特徴とする太陽電池モジュールの取付け構造。
【請求項１３】
太陽電池モジュールを設置箇所に取付けた太陽電池モジュールの取付け構造において、請求項１乃至請求項９のいずれかに記載の網材付き太陽電池モジュールの網材を設置箇所に取付けることにより、太陽電池モジュールを設置箇所に取付けたことを特徴とする太陽電池モジュールの取付け構造。
【請求項１４】
太陽電池モジュールを設置箇所に取付けた太陽電池モジュールの取付け構造において、設置箇所に支持用網材を設け、その支持用網材に請求項１乃至請求項９のいずれかに記載の網材付き太陽電池モジュールの網材を取付けることにより、太陽電池モジュールを設置箇所に取付けたことを特徴とする太陽電池モジュールの取付け構造。
【発明の詳細な説明】
【技術分野】
【０００１】
本願発明は、変形可能なフレキシブルなフィルム型太陽電池モジュール（以下「フィルム型太陽電池モジュール」という。）、フレキシブルでなく変形しない定形の太陽電池モジュール（以下「定形型太陽電池モジュール」という。）に網材を取付けて（設けて）、網材を建物、支柱などの設置箇所に取付けることにより、フィルム型太陽電池モジュール或いは定形型太陽電池モジュール（以下両者を合わせて「太陽電池モジュール」という。）を所望の設置箇所に取付け可能とした網材付き太陽電池モジュールと、太陽電池モジュールを、網材を使用して設置箇所に取付けた太陽電池モジュールの取付け構造に関する。
【背景技術】
【０００２】
近年、太陽光発電システムが普及している。従来の太陽光発電システムに用いられる太陽電池モジュールは定形型（リジッドタイプ）のものが主であり、それを架台に搭載して、ビル、戸建住宅、病棟、校舎といった建物の屋根の上に設置されている。
【０００３】
近年はフレキシブルなフィルム型太陽電池モジュールが普及し始めている。フィルム型太陽電池モジュールは、軽量であり、柔軟性に優れて変形可能であるため、各種分野に幅広く利用されることが期待されている。
【０００４】
前記フィルム型太陽電池モジュールは、太陽電池セルがフレキシブルシートに装備されたものであるため、可撓性に富み、ロール状に巻くことができるため保管や運搬に便利であり、建物の平面（例えば屋根）のみならず曲面壁等にも取付け可能であるという利点がある。
【０００５】
屋根や壁へのフィルム型太陽電池モジュールの取付け方法も各種ある。例えば、フィルム型太陽電池モジュールの周縁部を取付け用シートに縫い付ける方法（特許文献１）やフィルム型太陽電池モジュールの周縁部に開口した貫通孔（はとめ孔）に紐やロープなどを通して被取付け体に連結する方法（特許文献２）、フィルム型太陽電池モジュールのシートの周縁部に紐やロープを通してアルミ製或いは軽量強化プラスチック製のフレームなどに連結する方法（特許文献３）等が提案されている。
【先行技術文献】
【特許文献】
【０００６】
【特許文献１】特開２００６−３３９６８２号公報
【特許文献２】特開２００６−３３９６８４号公報
【特許文献３】特開２０１０−５０１９６号公報
【発明の概要】
【発明が解決しようとする課題】
【０００７】
前記特許文献１（特に、図２及び図３）記載の取付け方法は、フィルム型太陽電池モジュールを糸で縫いつけて固定するものであるため取付けが確実になるという利点があるが、取付けや取外しに手間がかかるとか、取付け後にフィルム型太陽電池モジュールを取外すと縫い目の跡が目立って体裁が悪いといった難点があった。
【０００８】
前記特許文献２記載の取付け方法は、紐やロープで手軽に取付けられるという利点があるが、フィルム型太陽電池モジュールの外周部（余白部）の幅が狭いため、その外周部に取付け孔をあけにくいとか、孔あけ位置がずれるとフィルム型太陽電池モジュールの絶縁性が損なわれるといった難点があった。
【０００９】
前記特許文献３記載の取付け方法は、紐やロープで手軽に取付けられるという利点があるが、フレームが硬質であるため設置場所が限られるという難点があった。
【００１０】
本願発明の解決課題は、太陽電池モジュールの発電効率を大幅に損ねることなく、設置箇所に手軽に取付け可能な網材（メッシュ）付き太陽電池モジュールと、網材を使用した太陽電池モジュールの取付け構造を提供することにある。
【課題を解決するための手段】
【００１１】
本願発明の網材付き太陽電池モジュールは、一又は二以上の太陽電池モジュールに網材を設けたものであり、網材を袋又はシートにし、それら網材の網目を透光孔としたものである。太陽電池モジュールは太陽光が透過可能なシースルー型太陽電池モジュールであってもよい。網材はフレキシブルなものでもリジッドなものでもよく、耐候性、絶縁性等に優れたものがよい。網材が袋の場合はその内部に太陽電池モジュールを収容し、シートの場合はそれを太陽電池モジュールの表裏両面に被せて挟むか、表裏面のいずれか片面に重ねて連結することができる。表裏両面を挟む場合も片面に取付ける場合も、網材はその周縁部を太陽電池モジュールの周縁部の外側まで突出させて、その突出部を設置箇所に取付けるための連結部とすることができる。網材で表裏両面を挟む場合も、網材を片面に取付ける場合も、網材は太陽電池モジュールの全面に被せることも、枠状にして太陽電池モジュールの周縁部にだけ被せることもできる。
【００１２】
本願発明の網材付き太陽電池モジュールは、網材に連結された太陽電池モジュールを二以上連結することもできる。
【００１３】
本願発明の太陽電池モジュールの取付け構造は、太陽電池モジュールを網材により設置箇所に取付けたものである。この場合、太陽電池モジュールとは別体の網材を太陽電池モジュールの表裏面のうちいずれか片面又は両面に設置して取付け、その網材を設置箇所に連結することによって太陽電池モジュールを設置箇所に取付けることも、太陽電池モジュールとは別体の網材を太陽電池モジュールに取付けて、網材の周縁部を太陽電池モジュールの一又は二以上の周縁部まで突出させて連結部とし、その連結部を設置箇所に連結することによって太陽電池モジュールを設置箇所に取付けることもできる。前記した本願発明の網材付き太陽電池モジュールや連結した網材付き太陽電池モジュールの網材を設置箇所に取付けることにより太陽電池モジュールを設置箇所に取付けることもできる。設置箇所に支持用網材を設け、その支持用網材に太陽電池モジュールの網材を取付けることによって、太陽電池モジュールを設置箇所に取付けることもできる。
【発明の効果】
【００１４】
本願発明の網材付き太陽電池モジュールは次のような効果がある。
（１）網材があるため、太陽電池モジュールを設置箇所に手軽に取付けることができる。
（２）太陽電池モジュールが網材製の袋に収容されているため、太陽電池モジュールが網材から脱落しにくい。
（３）太陽電池モジュールの表裏両面又は片面に、シート状の網材が取付けられているので、太陽電池モジュールが型崩れしにくく、設置箇所への取付けも容易になる。
（４）網材の網目が透光孔であるため、網材を太陽電池モジュールに被せても採光の妨げにならず、太陽電池モジュールの発電効率の低下が抑制される。
（５）網材が二以上連結されている場合は、広い設置箇所への太陽電池モジュールの取付けが容易になる。
（６）網材であるため軽量で、設置箇所の負担が軽減される。
（７）網材がフレキシブルである場合は、太陽電池モジュールがフレキシブル型の場合にそのフレキシブル性が損なわれず、平面箇所のみならず、曲面箇所や、屈曲箇所といった各種形状の設置箇所にも取付けることができる。丸めたり、折りたたんだりしてコンパクトにすることもできるので運搬や保管にも便利である。
（８）網材が耐候性に優れたものの場合は、屋外での長期間の使用に耐え得る長寿命製品になる。
（９）網材が太陽電池モジュールの周縁部に被せる周枠状の場合は、採光性が低下せず、太陽電池モジュールの発電効率が低下せず、太陽電池モジュールから発生する熱の放散が阻害されず、網材を被せることによる発電効率の低下もほとんどない。
（１０）太陽電池モジュールがシースルー型太陽電池モジュールの場合は、発電と室内への採光の両方が可能となる。
【００１５】
本願発明の太陽電池モジュールの取付け構造は次のような効果がある。
（１）網材を設置箇所に取付けることにより太陽電池モジュールを設置箇所に取付けた構造であるため、太陽電池モジュールを設置箇所に取り付けるための加工を施す必要がなく、加工による太陽電池モジュールの損傷や絶縁性の劣化、加工による手間もかからず、コストダウンができる。
（２）太陽電池モジュールを取付けた網材製の袋又は網材製のシートを、紐、フック等の小型の係止具により設置箇所に取付けることができるので、取付けが容易である。また太陽電池モジュールの交換や、設置箇所の移動等も容易になる。更には取付け構造が小型、簡潔であるため、狭い設置箇所にも取付け可能である。
（３）太陽光パネルの取付けに使用されていた既存の架台を使用する必要がなく、軽量になるので設置箇所の過重負担も軽減される。
（４）太陽電池モジュールがフレキシブル型であっても縫いつけたりする必要がないので、設置箇所への取付け、取外しが容易であり、取外し後に太陽電池モジュールに縫い跡が残ったり、孔があいたりせず、太陽電池モジュールの損傷、絶縁破壊、体裁の劣化等がない。
（５）太陽電池モジュールを縦向きに吊下げたり、横向きに張ったりすることもできるので、室内外の空間に所望の向きで設置することができる。
（６）網材の網目により通気性が確保されるので、太陽電池モジュールに被せても、太陽電池モジュールから発生する熱が外部に放散されて太陽電池モジュールと網材の間の空間にこもることが無く、太陽電池モジュールの発電効率が低下しにくい。
【図面の簡単な説明】
【００１６】
【図１】袋状の網材にフィルム型太陽電池モジュールを収容する場合の一例を示すものであって、（ａ）は収容前の説明図、（ｂ）は収容後の説明図、（ｃ）はフィルム型太陽電池モジュールの断面図。
【図２】本願発明の網材付き太陽電池モジュールの他例を示すものであって、（ａ）は袋状の網材を３個連結し、夫々の網材にフィルム型太陽電池モジュールを収容する前の説明図、（ｂ）は夫々の網材に収容したフィルム型太陽電池モジュールの夫々を、夫々の網材に吊下げて連結した状態の正面図、（ｃ）はその側面図。
【図３】シート状の網材をフィルム型太陽電池モジュールの裏面に取付ける場合の一例を示すものであって、（ａ）は取付け前の説明図、（ｂ）は取付け後の説明図。
【図４】シート状の網材をフィルム型太陽電池モジュールの表面に取付けた場合の説明図。
【図５】枠状の網材をフィルム型太陽電池モジュールの表面周縁部に重ねて取付ける場合の一例を示すものであって、（ａ）は取付け前の説明図、（ｂ）は取付け後の説明図、（ｃ）は（ｂ）のＸ−Ｘ断面図。
【図６】枠状の網材をフィルム型太陽電池モジュールの裏面周縁部に重ねて取付ける場合の一例を示すものであって、（ａ）は取付けた状態を示す説明図、（ｂ）は（ａ）のＹ−Ｙ断面図。
【図７】本願発明の網材付き太陽電池モジュールを建物の窓に設置する場合の一例を示す斜視図。
【図８】本願発明の網材付き太陽電池モジュールをビル内に設置する方法の一例を示すものであって、（ａ）は窓の内側上部に吸盤で取付けた場合の側方概略図、（ｂ）は窓の内側天井に吸盤で取付けた場合の側方概略図。
【図９】図３の網材付き太陽電池モジュールを縦に連結して窓に取付けた場合の一例を示す正面図。
【図１０】（ａ）は建物の窓に配置した支持用網材に図１の網材付き太陽電池モジュールを設置する場合の一例を示す正面図、（ｂ）は窓に配置した支持用網材に図３の網材付き太陽電池モジュールを設置する場合の一例を示す正面図。
【図１１】（ａ）はビニールハウスの外面に本願発明の網材付きフィルム型太陽電池モジュールを設置した場合の斜視図、（ｂ）は内面に本願発明の網材付きフィルム型太陽電池モジュールを設置した場合の斜視図。
【発明を実施するための形態】
【００１７】
本願発明の網材付き太陽電池モジュール１の一例を図面に基づいて説明する。本願発明の網材付き太陽電池モジュール、太陽電池モジュールの取付け構造に使用される太陽電池モジュールはフィルム型太陽電池モジュールであっても、定形型太陽電池モジュールであってもいいが、その一例として図示したものはフィルム型太陽電池モジュールを使用した場合である。
【００１８】
フィルム型太陽電池モジュール２及び網材３はいずれも同じ材質、構成であってもよく、異なるものであってもよい。フィルム型太陽電池モジュール２は汎用の各種フィルム型太陽電池モジュールのいずれであってもよいが、フレキシブルで、フィルム型であれば、今後新たに開発される太陽電池モジュールであってもよい。また、太陽電池が半透明で透光性或いは半透光性のあるフレキシブルなシースルー型太陽電池モジュールであってもよい。シースルー型太陽電池モジュールとしては、例えば、株式会社カネカ製のシースルータイプ太陽電池や、太陽工業株式会社製のものを使用することができる。いずれの場合も、その発電効率、発電出力、サイズ、重量、材質等も特に制約されずどのようなものであってもよい。発電素子（ウエハー）もバルク型、薄膜型、その他のものであってもよく、シリコン、アモルファスシリコン、化合物系、有機系といった各種材料を使用した太陽電池モジュールであってもよい。太陽電池モジュールを二以上組み合わせて使用する場合は、所望数の太陽電池モジュールを直列、並列、直並列等に接続することもできる。
【００１９】
（図１のフィルム型太陽電池モジュール）
本願発明の網材付き太陽電池モジュールの一例として図１（ａ）、（ｂ）に示すものは、既存のフィルム型太陽電池モジュール２を袋状の網材３内に収容したものであり、その網材３を建物、支柱、柵等の設置箇所に取付けることにより、フィルム型太陽電池モジュール２を設置箇所に取付け可能としたものである。袋状の網材３はその網目を透光孔４として、フィルム型太陽電池モジュール２に太陽光を採光でき、通気性が確保されるようにしてある。
【００２０】
本願発明で使用できるフィルム型太陽電池モジュール２は可撓性があってロール状に巻くことのできるフレキシブルなものであり、その構造、形状、サイズ、特性、メーカー等は特に限定されないが、一例としてはアモルファス太陽電池モジュール（富士電機システムズ株式会社製のフィルム型太陽電池モジュール）を使用することができる。このフィルム型太陽電池モジュール２は、図１（ｃ）に示すように太陽電池セル５を表面側樹脂シート６と裏面側樹脂シート７で表裏面から挟み、両シート６、７を接着剤（封止材）８で貼り付けてあり、両シート６、７の外周（四辺）が太陽電池セル５の外側に突出して周縁部９が形成されている。表面側樹脂シート６は採光できるように透明にしてある。
【００２１】
太陽電池セル５も特に限定されないが、汎用の太陽電池セルと同様のものを使用することができ、例えば、基板上に短波長光を吸収するトップセル層と長波長光を吸収するボトムセル層とが積層されたものを使用することができる。トップセル層にはа−Ｓｉ層が、ボトムセル層にはа−ＳｉＧｅ層が含まれているものを使用することができる。太陽電池セル５はこれ以外の材質、特性、構造のものであってもよい。
【００２２】
表面側樹脂シート６には可撓性があり（フレキシブルであり）、耐候性、耐熱性に優れるＥＴＦＥ（エチレン・テトラ・フルオロ・エチレン）が適する。裏面側樹脂シート７には表面側樹脂シート６と同様のＥＴＦＥのほか、鋼板やＰＥＴ（ポリエチレンテレフタラート）を用いることもできる。封止材８には太陽電池セル５、表面側樹脂シート６、裏面側樹脂シート７が接着し易いものがよく、例えば、樹脂系接着剤であるＥＶＡ（エチレンビニールアセテート）を使用することができ、緩衝材としても機能するようにしてある。表面側樹脂シート６、裏面側樹脂シート７もこれら以外のものであってもよい。
【００２３】
（網材の実施形態）
網材３は軽量で柔軟性（フレキシビリティ）があり、耐候性、耐寒性、耐熱性、断熱性、絶縁性、撥水性等に優れた各種材質製とするのが好ましく、ポリエチレンのほか、ポリプロピレン（ＰＰ）、ポリアミド（ＰＡ）等の樹脂を主原料とするもの等が適する。本実施形態では一例として、三井化学産資株式会社製のネトロンシート（「ネトロン」は三井化学株式会社の登録商標。以下同じ。）を使用した。ネトロンシートはポリエチレン（ＰＥ）を主原料とするプラスチック材料（樹脂）をメッシュ状に連続成型したものであり、前記特性を備える。網材３として、タキロン株式会社製のトリカルネット（「トリカルネット」はタキロン株式会社の登録商標。以下同じ。）を用いることもできる。網材３はこれら以外の材質製のものであってもよく、透光孔（網目）４の数、間隔、サイズ、形状、線の太さ等は特に限定されず、用途に応じて任意に決定することができる。
【００２４】
図１（ａ）に示す網材３はプラスチック製のメッシュを袋状に成型したものである。袋の形状、サイズ、形状等は特に限定されず、用途に応じて任意に選択することができるが、フィルム型太陽電池モジュール２に入射する太陽光ができるだけ遮光されず、型崩れせず、フレキシビリティのあるものが望ましい。
【００２５】
図１（ａ）に示すように、網材３の長手方向一端にはフィルム型太陽電池モジュール２を出し入れ可能な出し入れ口３ａが開口され、その出し入れ口３ａにファスナー１１を設けて開閉可能としてある。出し入れ口３ａは紐とか他の手段で開閉可能とすることもでき、解放のままとしておくこともできる。
【００２６】
袋状の網材３の内部に収容したフィルム型太陽電池モジュール２は、網材３に連結して袋内で移動したり位置ずれしたりしないようにするのが望ましい。連結方法の一例としては、図２（ｂ）に示すように、フィルム型太陽電池モジュール２の周縁部９に止め孔１０をあけ、この止め孔１０と網材３の透光孔４（網目）に環状クリップ、結束バンド、リング、紐などの線材等（これらを纏めて「連結具」という。）を通し、それを袋に結ぶ方法がある。このように連結すると、フィルム型太陽電池モジュール２を収容した網材製の袋を横向きにしても縦向きにしても、そのフィルム型太陽電池モジュール２が袋内で、位置ずれしたり変形したりしにくくなる。連結はフィルム型太陽電池モジュール２と網材３を接着剤で接着して行うこともできる。
【００２７】
（図２の網材付き太陽電池モジュール）
図２（ａ）〜（ｃ）に示す網材付き太陽電池モジュール１は、網材製の袋を、フィルム型太陽電池モジュール２を二枚以上収容できる広さにし、その袋を区画部１２で仕切って二以上の収容部１３を形成し、夫々の収容部１３にフィルム型太陽電池モジュール２を一枚ずつ収容できるようにしたものである。個々の収容部１３は一枚のフィルム型太陽電池モジュール２の外周寸法よりも多少大きくして、夫々の収容部１３にフィルム型太陽電池モジュール２が収まる程度にすると、フィルム型太陽電池モジュール２が収容部１３内でガタつかず安定する。夫々の収容部１３内に収容したフィルム型太陽電池モジュール２は、図２（ｂ）に示すように連結具１４で網材３に連結することもできる。この場合は図２（ｂ）に示すように網材３内に収容したフィルム型太陽電池モジュール２の周縁部９の止め孔１０と網材３の網目に連結具１４を通して連結する。
【００２８】
（図３の網材付き太陽電池モジュール）
本願発明の網材付き太陽電池モジュール１は、図３（ａ）、（ｂ）に示すように、シート状の網材３の外周サイズをフィルム型太陽電池モジュール２の外周サイズよりも大きくし、それをフィルム型太陽電池モジュール２の裏面に配置して、網材３の周縁部１５をフィルム型太陽電池モジュール２の周縁部９の外まで突出させ、その突出した周縁部１５を連結部とし、その周縁部１５の透光孔４（網目）とフィルム型太陽電池モジュール２の周縁部９の止め孔１０に連結具１４を通して、フィルム型太陽電池モジュール２の周縁部９を網材３に連結したものである。この場合、可能であれば、網材３はフィルム型太陽電池モジュール２の裏面に接着剤で接着することもできる。前記網材３には、例えば、三井化学産資株式会社製のネトロンシートやタキロン株式会社製のトリカルネットを使用することができる。
【００２９】
（図４の網材付き太陽電池モジュール）
図４に示す網材付き太陽電池モジュール１は、フィルム型太陽電池モジュール２よりも大きなシート状の網材３をフィルム型太陽電池モジュール２の表面に被せ、網材３の周縁部１５をフィルム型太陽電池モジュール２の周縁部９の外まで突出させ、その周縁部１５の網目とフィルム型太陽電池モジュール２の周縁部９の止め孔１０に、図３（ｂ）のような連結具１４を通して、フィルム型太陽電池モジュール２の周縁部９を網材３に連結したものである。この場合、可能であれば網材３はフィルム型太陽電池モジュール２の表面に接着剤で接着することもできる。
【００３０】
（網材両面配置の網材付き太陽電池モジュール）
本願発明の網材付き太陽電池モジュール１は、フィルム型太陽電池モジュール２よりも大きなシート状の網材３をフィルム型太陽電池モジュール２の表面と裏面に配置してフィルム型太陽電池モジュール２を挟み、表裏両面の網材３の周縁部１５をフィルム型太陽電池モジュール２の周縁部９の外まで突出させて網材３の周縁部１５の透光孔４とフィルム型太陽電池モジュール２の周縁部９の止め孔１０に連結具１４を通して、フィルム型太陽電池モジュール２の周縁部９を二枚の網材３に連結することもできる。この場合も、可能であれば、表面側の網材３はフィルム型太陽電池モジュール２の表面に、裏面側の網材３はフィルム型太陽電池モジュール２の裏面に接着剤で接着することもできる。
【００３１】
（図５、図６の網材付き太陽電池モジュール）
図５（ａ）〜（ｃ）の網材付き太陽電池モジュール１は、網材３を長方形の枠状にし、枠の開口幅Ｗ１、開口長Ｌ１の夫々をフィルム型太陽電池モジュール２の幅ｗ、長さｌよりも小さくし、外周幅Ｗ２、外周長Ｌ２の夫々をフィルム型太陽電池モジュール２の外形幅ｗ、外形長ｌよりも大きくし、その枠状の網材３をフィルム型太陽電池モジュール２の表面に重ね、その網材３とフィルム型太陽電池モジュール２の周縁部９を接着剤で接着して連結したものである。両者は連結具１４で連結することもできる。この場合も、枠状の網材３の周縁部１５をフィルム型太陽電池モジュール２の外周に突出させて連結部としてある。図６（ａ）、（ｂ）の網材付き太陽電池モジュール１は、長方形の枠状の網材３をフィルム型太陽電池モジュール２の裏側に配置して両者を連結してある。
【００３２】
網材３を枠状とする場合、シートを枠状とすることも、袋を枠状にすることもできる。この場合、図示しないが、袋の表面側及び裏面側の両面又はいずれか一面のみを開口させた枠状とすることもできる。
【００３３】
（本願発明の網材付き太陽電池モジュールの他例）
本願発明の網材付き太陽電池モジュール１は、図示しないが、一枚のフィルム型太陽電池モジュール２の面積の数倍の面積の網材３に二枚以上のフィルム型太陽電池モジュール２を連結することもできる。この場合も、夫々のフィルム型太陽電池モジュール２を網材３に連結具１４で連結するとか接着剤で接着するなどすることができる。また、本願発明の網材付きフィルム型太陽電池モジュール１は、出来上がったフィルム型太陽電池モジュール２に網材３を連結するのではなく、フィルム型太陽電池モジュール２の製造時に、フィルム型太陽電池モジュール２に網材３を取付けたものでもよい。
【００３４】
（本願発明の網材付き太陽電池モジュールの他例）
本願発明の網材付き太陽電池モジュールでは、太陽電池モジュールに定形型のものを使用することができる。その場合は、前記実施形態におけるフィルム型太陽電池モジュール２を定形型太陽電池モジュールに置き換えることにより実現可能である。この場合の定形型太陽電池モジュールは既存のものであってもよく、網材３に取付け易いサイズ、重量とするのが良い。材質もフィルム型太陽電池モジュール２に使用されている前記の各種材料のものを使用可能であり、発電効率や発電出力等も任意に設計でき、接続も直列、並列、直並列等とすることができる。
【００３５】
（本願発明の網材付き太陽電池モジュールの他例）
本願発明の網材付き太陽電池モジュールでは、熱収縮性材料からなる網材３を使用することもできる。例えば、熱収縮性材料からなる袋状の網材３内に、フィルム型太陽電池モジュール２を収納し、網材３に熱を加えて収縮させて、網材３をフィルム型太陽電池モジュール２に密着させる。これにより、袋状の網材３内に収納されたフィルム型太陽電池モジュール２が、袋内で移動したり撓んだりするのを防止することができる。フィルム型太陽電池モジュール２を熱収縮性材料からなる網材３に収納する場合、フィルム型太陽電池モジュール２に保護材を設けて、フィルム型太陽電池モジュール自体が撓むことを防止することができる。リジッドタイプの太陽電池モジュールにも同様の網材３を使用することができる。
【００３６】
（本願発明の太陽電池モジュールの取付け構造）
本願発明の太陽電池モジュールの取付け構造もフィルム型太陽電池モジュール２に限らず定形型太陽電池モジュールの取付け構造であってもよいが、一例として図示したものはフィルム型太陽電池モジュール２の取付け構造の場合である。
【００３７】
フィルム型太陽電池モジュール２を網材３により設置箇所に取付けたものである。この取付け構造の一例としては、フィルム型太陽電池モジュール２とは別体の網材３をフィルム型太陽電池モジュール２の上（表側）に被せ、その網材３を建物の壁面、設置専用の支柱や柵等の設置箇所に連結することによって、フィルム型太陽電池モジュール２を網材３で押さえて設置箇所に取付けることができる。他の取付け構造としては、前記網材付き太陽電池モジュール１の網材３を、設置箇所に連結することによってフィルム型太陽電池モジュール２を設置箇所に取付けることもできる。
【００３８】
他の実施形態としては、前記した本願発明の網材付き太陽電池モジュール１の網材３を設置箇所に取付けることによりフィルム型太陽電池モジュール２を設置箇所に取付けることもできる。
【００３９】
前記いずれの取付け構造においても、設置箇所への網材３の取付けは、紐、ネジ、釘、フック、接着剤等の任意の止め具で行うことができる。
【００４０】
（網材付き太陽電池モジュールの取付け例）
本願発明の網材付き太陽電池モジュール１を、設置箇所に取付けるには次のようにして行うことができる。図７は設置箇所が窓Ａの場合である。これは、図１（ｂ）のようにフィルム型太陽電池モジュール２を収容した袋を、複数本、縦に繋ぎ、それを建物の窓Ａの内側又は外側に取付けたものであり、図８（ａ）に示すようにフック付きの吸盤２０を窓Ａの内面に取付けて、窓Ａの内側に吊下げてある。図８（ｂ）に示すようにフック付きの吸盤２０を天井に取付けて窓Ａの内側に吊下げることもできる。このとき、フィルム型太陽電池モジュール２の受光面が窓Ａの外を向くように網材３の角度調整を行うのが良い。
【００４１】
図９に示す太陽電池モジュールの取付け構造は、図３（ｂ）に示すようにフィルム型太陽電池モジュール２に取付けたシート状の網材３を、複数本、縦に繋ぎ、それを建物の窓Ａの内側又は外側に取付けたものである。
【００４２】
図１０（ａ）、（ｂ）に示す本願発明の太陽電池モジュールの取付け構造は、多少剛性があって変形しにくい支持用網材２１を建物の壁面や窓Ａの外側又は内側に配置し、その前面に複数枚の網材付き太陽電池モジュール１を縦に繋いで配置したものである。支持用網材２１は樹脂製ネットであり、例えば、三井化学資産株式会社製のテンサーが適する。テンサーは、ポリオレフィンを原料とする高強度のプラスチックネットであり、耐候性、耐久性、耐アルカリ性、耐酸性、加工性等に優れている。支持用網材２１にはフィルム型太陽電池モジュール２の柔軟性が損なわれないように柔軟性を有するもの、例えば、前述のネトロンシートを用いることもできることもできる。支持用網材２１の形状、網目の大きさ等は任意に選択することができる。
【００４３】
前記実施形態では設置箇所がビルの場合を一例として説明したが、設置箇所は例えばプレハブ式の建物、テントのような組み立て式の簡易構造物、戸建家屋、農業用ビニールハウス、競技場、高速道路、電柱、取付け専用の支柱、柵といった各種箇所、建物以外の工作物などであってもよく、設置箇所は平面のみならず曲面とか屈曲面、或いは凹凸箇所等であってもよい。
【００４４】
図１１（ａ）、（ｂ）は本願発明の取付け構造の一例として、農業用ビニールハウスに取付けた場合である。ビニールハウスＨは既存の農業用ハウスであり、その内面又は外面に本願発明の網材付き太陽電池モジュール１を取り付ける。この場合、ビニールハウスＨの組立て用のパイプやビニールハウスＨの内部又は外部に取付け専用として新設した取付け具（支柱や横桟）等に、フックを係止して取付けるとか、環状クリップや結束バンドなどの他の取付け具を使用して取り付けることができる。この場合も、フィルム型太陽電池モジュール２の受光面が太陽光を受け易い方向を向くように位置調節するのがよい。
【００４５】
本願発明の太陽電池モジュールの取付け構造では、フィルム型太陽電池モジュール２、又は網材付き太陽電池モジュール１を縦長にして、横に複数本配置することもできる。その場合、フィルム型太陽電池モジュール２、又は網材付きフィルム型太陽電池モジュール１を横に連結して、連結箇所から折り畳んだり、広げたりすることができるようにすることもできる。また、発電効率の面からはフィルム型太陽電池モジュール２をその太陽電池が太陽光の照射方向に対向する向きにして配置するのが望ましいが、太陽光の照射方向に斜めに配置して、フィルム型太陽電池モジュール２が太陽光を採光して発電できるようにすると共に、フィルム型太陽電池モジュール２の横から室内に太陽光が採光されるようにすることもできる。
【００４６】
（本願発明の太陽電池モジュールの取付け構造の他例）
本願発明の太陽電池モジュールの取付け構造では、太陽電池モジュールに定形型のものを使用することができる。その場合も、前記実施形態におけるフィルム型太陽電池モジュールを定形型太陽電池モジュールに置き換えることにより実現可能である。この場合の定形型太陽電池モジュールは既存のものであってもよく、網材３で取付け箇所に取付け易いサイズ、重量とするのが良い。材質もフィルム型太陽電池モジュールに使用されている前記の各種材料のものを使用可能であり、発電効率や発電出力等も任意に設計でき、接続も直列、並列、直並列等とすることができる。
【符号の説明】
【００４７】
１    網材付き太陽電池モジュール
２    フィルム型太陽電池モジュール
３    網材
３ａ  （袋状の）網材の出し入れ口
４    透光孔
５    太陽電池セル
６    表面側樹脂シート
７    裏面側樹脂シート
８    接着剤（封止材）
９    周縁部
１０  止め孔
１１  ファスナー
１２  区画部
１３  収容部
１４  連結具
１５  網材の周縁部（連結部）
２０  吸盤
２１  支持用網材
Ａ    窓
Ｗ１  枠状の網材の開口幅
Ｌ１  枠状の網材の開口長
Ｗ２  枠状の網材の外形幅
Ｌ２  枠状の網材の外形長
ｗ    フィルム型太陽電池モジュールの幅
ｌ    フィルム型太陽電池モジュールの長さ
Ｈ    ビニールハウス
【図１】
2012023308.tif 000003
【図２】
2012023308.tif 000004
【図３】
2012023308.tif 000005
【図４】
2012023308.tif 000006
【図５】
2012023308.tif 000007
【図６】
2012023308.tif 000008
【図７】
2012023308.tif 000009
【図８】
2012023308.tif 000010
【図９】
2012023308.tif 000011
【図１０】
2012023308.tif 000012
【図１１】
2012023308.tif 000013